(57)【特許請求の範囲】
【請求項１】
移動体通信端末により、提供情報のアクセスが指定されると、ホストコンピュータに保存されている提供情報を受信し、その提供情報を上記移動体通信端末に転送するゲートウェイ装置を備え、上記移動体通信端末により、上記ホストコンピュータに保存されている提供情報をアクセスし、所定の操作を行えるようにした通信ネットワークシステムにおいて、
所定場所に設置され、ネットワークに接続し、ネットワークを介して電子メールを受信し、その受信した電子メールの内容を記録出力する出力装置を設けるとともに、
上記ゲートウェイ装置は、指定情報に対応した上記出力装置のメールアドレスを登録した登録手段を備え、上記移動体通信端末より提供情報の出力が指定されるとともに出力先の指定情報を受信すると、その指定情報に対応して上記登録手段に登録されているメールアドレスを取り出し、上記提供情報に対応した出力情報を、電子メールを用い、上記取り出したメールアドレスへ送信する一方、
上記出力先の指定情報の前記移動体通信端末への入力は、上記出力装置と上記移動体通信端末を、所定の接続手段で相互接続し、上記出力装置にあらかじめ記憶されている値を上記移動体通信端末に転送することで行うとともに、上記移動体通信端末は、上記出力装置より転送入力した上記出力先の指定情報を、一回使用後、または、転送入力時点から所定時間経過後に消去するようにしたことを特徴とする通信ネットワークシステム。
【請求項２】
移動体通信端末により、提供情報のアクセスが指定されると、ホストコンピュータに保存されている提供情報を受信し、その提供情報を上記移動体通信端末に転送するゲートウェイ装置を備え、上記移動体通信端末により、上記ホストコンピュータに保存されている提供情報をアクセスし、所定の操作を行えるようにした通信ネットワークシステムにおいて、
所定場所に設置され、ネットワークに接続し、ネットワークを介して電子メールを受信し、その受信した電子メールの内容を記録出力する出力装置を設けるとともに、
上記ゲートウェイ装置は、指定情報に対応した上記出力装置のメールアドレスを登録した登録手段を備え、上記移動体通信端末より提供情報の出力が指定されるとともに出力先の指定情報を受信すると、受信した指定情報に対応したメールアドレスが上記登録手段に登録されている場合には、そのメールアドレスを取り出し、上記提供情報に対応した出力情報を、電子メールを用い、上記取り出したメールアドレスへ送信する一方、
上記出力先の指定情報の前記移動体通信端末への入力は、上記出力装置と上記移動体通信端末を、所定の接続手段で相互接続し、上記出力装置にあらかじめ記憶されている値を上記移動体通信端末に転送することで行うとともに、上記移動体通信端末は、上記出力装置より転送入力した上記出力先の指定情報を、一回使用後、または、転送入力時点から所定時間経過後に消去するようにしたことを特徴とする通信ネットワークシステム。
【請求項３】
前記出力装置は、要求操作により、自端末に登録されている前記指定情報を可視出力することを特徴とする請求項１または請求項２記載の通信ネットワークシステム。
【発明の詳細な説明】
【０００１】
【発明の属する技術分野】
本発明は、移動体通信端末により、提供情報のアクセスが指定されると、ホストコンピュータに保存されている提供情報を受信し、その提供情報を上記移動体通信端末に転送するゲートウェイ装置を備え、上記移動体通信端末により、上記ホストコンピュータに保存されている提供情報をアクセスし、所定の操作を行えるようにした通信ネットワークシステムに関する。
【０００２】
【従来の技術】
近年、例えば、ＮＴＴドコモ社が提供するｉモードサービスのように、移動体通信端末（携帯電話、携帯端末など）により、各情報提供事業者のホストコンピュータに保存されている提供情報へアクセスし、所望の情報を取得できるようにした通信サービスが実現されている。
【０００３】
このような通信サービスを利用すると、コンサートなどのチケット予約、銀行の残高確認など、種々の有用なサービスを受けることができ、例えば、チケット予約のためにチケット予約センターにユーザが出向く必要がないなど、ユーザが手軽に有効なサービスを受けることができる。
【０００４】
【発明が解決しようとする課題】
しかしながら、従来のこのような通信サービスでは、移動体通信端末側に種々の情報を表示させることができるが、プリントアウトすることはできず、取得した情報をハードコピーとして得ることが困難であった。
【０００５】
本発明は、かかる実情に鑑みてなされたものであり、移動体通信端末に表示させた情報のハードコピーを容易に得ることができるようにした通信ネットワークシステムを提供することを目的としている。
【０００６】
【課題を解決するための手段】
本発明は、移動体通信端末により、提供情報のアクセスが指定されると、ホストコンピュータに保存されている提供情報を受信し、その提供情報を上記移動体通信端末に転送するゲートウェイ装置を備え、上記移動体通信端末により、上記ホストコンピュータに保存されている提供情報をアクセスし、所定の操作を行えるようにした通信ネットワークシステムにおいて、所定場所に設置され、ネットワークに接続し、ネットワークを介して電子メールを受信し、その受信した電子メールの内容を記録出力する出力装置を設けるとともに、上記ゲートウェイ装置は、指定情報に対応した上記出力装置のメールアドレスを登録した登録手段を備え、上記移動体通信端末より提供情報の出力が指定されるとともに出力先の指定情報を受信すると、その指定情報に対応して上記登録手段に登録されているメールアドレスを取り出し、上記提供情報に対応した出力情報を、電子メールを用い、上記取り出したメールアドレスへ送信する一方、上記出力先の指定情報の前記移動体通信端末への入力は、上記出力装置と上記移動体通信端末を、所定の接続手段で相互接続し、上記出力装置にあらかじめ記憶されている値を上記移動体通信端末に転送することで行うとともに、上記移動体通信端末は、上記出力装置より転送入力した上記出力先の指定情報を、一回使用後、または、転送入力時点から所定時間経過後に消去するようにしたものである。
【０００７】
また、移動体通信端末により、提供情報のアクセスが指定されると、ホストコンピュータに保存されている提供情報を受信し、その提供情報を上記移動体通信端末に転送するゲートウェイ装置を備え、上記移動体通信端末により、上記ホストコンピュータに保存されている提供情報をアクセスし、所定の操作を行えるようにした通信ネットワークシステムにおいて、所定場所に設置され、ネットワークに接続し、ネットワークを介して電子メールを受信し、その受信した電子メールの内容を記録出力する出力装置を設けるとともに、上記ゲートウェイ装置は、指定情報に対応した上記出力装置のメールアドレスを登録した登録手段を備え、上記移動体通信端末より提供情報の出力が指定されるとともに出力先の指定情報を受信すると、受信した指定情報に対応したメールアドレスが上記登録手段に登録されている場合には、そのメールアドレスを取り出し、上記提供情報に対応した出力情報を、電子メールを用い、上記取り出したメールアドレスへ送信する一方、上記出力先の指定情報の前記移動体通信端末への入力は、上記出力装置と上記移動体通信端末を、所定の接続手段で相互接続し、上記出力装置にあらかじめ記憶されている値を上記移動体通信端末に転送することで行うとともに、上記移動体通信端末は、上記出力装置より転送入力した上記出力先の指定情報を、一回使用後、または、転送入力時点から所定時間経過後に消去するようにしたものである。
【０００８】
また、前記出力装置は、要求操作により、自端末に登録されている前記指定情報を可視出力するようにしたものである。
【００１０】
【発明の実施の形態】
以下、添付図面を参照しながら、本発明の実施の形態を詳細に説明する。
【００１１】
図１は、本発明の一実施例にかかる通信ネットワークの一例を示している。
【００１２】
この通信ネットワークは、移動体通信端末ＴＭ１〜ＴＭｎ、移動体通信網ＭＮ、および、移動体通信網基地局ＢＳからなる移動体通信ネットワークに、インターネットＩＮＥＴ上の情報提供サーバ装置（ホストコンピュータ）ＩＳ１〜ＩＳｎへデータアクセスするためのゲートウェイ装置ＧＷを設け、さらに、インターネットＩＮＥＴを介し、適宜な私的なネットワークＰＮを接続してなる。
【００１３】
また、このゲートウェイ装置ＧＷは、移動体通信端末ＴＭ１〜ＴＭｎから、情報提供サーバ装置ＩＳ１〜ＩＳｎへのデータアクセスが要求された場合、その要求を一旦受け取り、移動体通信端末ＴＭ１〜ＴＭｎに代わって、目的の情報提供サーバ装置ＩＳ１〜ＩＳｎより要求された情報（移動体通信端末表示用の内容）を取得し、その取得した情報を、要求元の移動体通信端末ＴＭ１〜ＴＭｎへ転送する。
【００１４】
また、移動体通信端末ＴＭ１〜ＴＭｎより、表示情報の印刷が指定されると、ゲートウェイ装置ＧＷは、そのときの表示情報に対応した印刷情報を対応する情報提供サーバ装置ＩＳ１〜ＩＳｎより取得し、その取得した印刷情報を運ぶ電子メールを作成し、指定された出力先の識別番号に対応したメールアドレスへと送信する。
【００１５】
ここで、移動体通信ネットワークに、インターネットＩＮＥＴ上の情報提供サーバ装置ＩＳ１〜ＩＳｎへデータアクセスするためのゲートウェイ装置ＧＷを設け、移動体通信端末ＴＭ１〜ＴＭｎから情報提供サーバ装置ＩＳ１〜ＩＳｎへアクセス可能にして、種々の情報提供サービスを行うネットワークサービスとしては、例えば、ＮＴＴドコモ社のｉモードサービスなどがある。
【００１６】
一方、ネットワークＰＮは、ローカルエリアネットワークＬＡＮに、複数のワークステーション装置ＷＳ１〜ＷＳｎ、メールサーバ装置ＭＳ、および、ネットワークファクシミリ装置ＦＸを接続して構成されている。また、ルータ装置ＲＴを介して、インターネットＩＮＥＴへ接続されている。
【００１７】
ここで、メールサーバ装置ＭＳは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ワークステーション装置ＷＳ１〜ＷＳｎには、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１９】
また、ネットワークファクシミリ装置ＦＸは、画情報や各種レポートなどを電子メールとしてやりとりするための電子メール処理機能、および、公衆網（ＰＳＴＮ）に接続し、この公衆網を伝送路として用いてグループ３ファクシミリ伝送手順による画情報伝送を行う伝送機能を備えている。また、本実施例では、ゲートウェイ装置ＧＷが、このネットワークファクシミリ装置ＦＸを、出力先の印刷装置としても用いる。
【００２０】
このネットワークファクシミリ装置ＦＸの端末機能としては、ＩＴＵ−Ｔ勧告Ｔ．３７やＩＥＴＦ（Ｉｎｔｅｒｎｅｔ  Ｅｎｇｉｎｅｅｒｉｎｇ  Ｔａｓｋ  Ｆｏｒｃｅ）標準ＲＦＣ（Ｒｅｑｕｅｓｔ  Ｆｏｒ  Ｃｏｍｍｅｎｔｓ）２３０５で規定されるようなメール型インターネットファクシミリ装置機能を備えている。
【００２１】
図２は、移動体通信端末ＴＭ（ＴＭ１〜ＴＭｎ）の構成の一例を示している。なお、この場合、端末機能として電話機能も備えている。
【００２２】
同図において、表示部１は、種々の情報を表示するためのものであり、比較的大きな画面の液晶表示器などからなり、操作部２は、この移動体通信端末ＴＭを操作するためのものであり、電話番号を入力したり、登録されている電話帳から所望の電話番号を選択するための操作を行ったり、あるいは、情報提供画面に対する種々の操作を行う操作キーなどを備えている。
【００２３】
通話部３は、通話のためのものであり、制御部４は、この移動体通信端末ＴＭの種々の通信機能、および、外部装置（図示略）との間のデータのやりとりなどの機能を行うためのものである。
【００２４】
無線通信ユニット５は、この移動体通信端末ＴＭを移動体通信網ＭＮに接続するためのものであり、外部インタフェース回路６は、外部装置（例えば、出力装置ＰＴ（ＰＴ１〜ＰＴｎ））に接続して、種々のデータをやりとりするためのものである。
【００２５】
図３は、ネットワークファクシミリ装置ＦＸの構成の一例を示している。
【００２６】
同図において、システム制御部１１は、このネットワークファクシミリ装置ＦＸの各部の制御処理、および、ファクシミリ伝送制御手順処理などの各種制御処理を行うものであり、システムメモリ１２は、システム制御部１１が実行する制御処理プログラム、および、処理プログラムを実行するときに必要な各種データなどを記憶するとともに、システム制御部１１のワークエリアを構成するものであり、パラメータメモリ１３は、このネットワークファクシミリ装置ＦＸに固有な各種の情報を記憶するためのものであり、時計回路１４は、現在時刻情報を出力するものである。
【００２７】
スキャナ１５は、所定の解像度で原稿画像を読み取るためのものであり、プロッタ１６は、所定の解像度で画像を記録出力するためのものであり、操作表示部７は、このネットワークファクシミリ装置ＦＸを操作するためのもので、各種の操作キー、および、各種の表示器からなる。
【００２８】
符号化復号化部１８は、画信号を符号化圧縮するとともに、符号化圧縮されている画情報を元の画信号に復号化するためのものであり、画像蓄積装置１９は、符号化圧縮された状態の画情報を多数記憶するためのものである。
【００２９】
グループ３ファクシミリモデム２０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３０】
網制御装置２１は、このファクシミリ装置を公衆網（ＰＳＴＮ）に接続するためのものであり、自動発着信機能を備えている。
【００３１】
ローカルエリアネットワークインターフェース回路２２は、このネットワークファクシミリ装置ＦＸをローカルエリアネットワークＬＡＮに接続するためのものであり、ローカルエリアネットワーク伝送制御部２３は、ローカルエリアネットワークＬＡＮを介して、他のデータ端末装置との間で種々のデータをやりとりするための各種所定のプロトコルスイートの通信制御処理を実行するためのものである。
【００３２】
また、外部インターフェース回路２４は、移動体通信端末ＴＭに接続して、移動体通信端末ＴＭとの間で種々のデータをやりとりするためのものである。
【００３３】
これらの、システム制御部１１、システムメモリ１２、パラメータメモリ１３、時計回路１４、スキャナ１５、プロッタ１６、操作表示部１７、符号化復号化部１８、画像蓄積装置１９、グループ３ファクシミリモデム２０、網制御装置２１、ローカルエリアネットワーク伝送制御部２３、および、外部インタフェース回路２４は、内部バス２５に接続されており、これらの各要素間でのデータのやりとりは、主としてこの内部バス２５を介して行われている。
【００３４】
また、網制御装置２１とグループ３ファクシミリモデム２０との間のデータのやりとりは、直接行なわれている。
【００３５】
さて、移動体通信端末ＴＭのユーザが、所望の情報提供サーバ装置ＩＳ（ＩＳ１〜ＩＳｎ）へアクセスし、その表示画面に従って適宜に操作を行い、所望のコンテンツ（提供情報）を表示させた後、その表示画面の内容をプリントアウトする事を希望する場合、例えば、その表示画面中の「プリントアウト」と名前が付されたボタンを指定操作する。
【００３６】
それにより、例えば、図４に示すようなプリントアウトの出力先の印刷装置の識別情報の入力要求画面が表示される。それにより、ユーザは、自分が出力を希望する印刷装置、例えば、ネットワークＰＮにおけるネットワークファクシミリ装置ＦＸの場合には、そのネットワークファクシミリ装置ＦＸに登録されている識別情報（例えば、「Ａ−０００１」など）を操作入力する。
【００３７】
それにより、ゲートウェイ装置ＧＷは、そのときに移動体通信端末ＴＭに表示しているコンテンツに対応した印刷情報を、対応する情報提供サーバ装置ＩＳに要求し、情報提供サーバ装置ＩＳより印刷情報を取得する。
【００３８】
ここで、同一コンテンツについて、移動体通信端末用の情報と、印刷情報が形成されているのは、次のような理由による。
【００３９】
すなわち、移動体通信端末ＴＭの表示画面はかなり小さく、１画面に表示可能な情報量が制限されるので、その制限に合わせて移動体通信端末用の情報が作成されている。それに対し、印刷情報は、移動体通信端末用の情報のような情報量の制限がないので、より詳細な情報を含めて形成されるのである。
【００４０】
また、ゲートウェイ装置ＧＷには、移動体通信端末ＴＭより通知される識別情報に対応して、印刷装置のメールアドレスを登録した図５に示すようなメールアドレステーブルが保存されており、ゲートウェイ装置ＧＷは、このメールアドレステーブルを参照して、移動体通信端末ＴＭより通知される識別情報に対応したメールアドレスを取り出す。
【００４１】
なお、移動体通信端末ＴＭより通知される識別情報が、このメールアドレステーブルに登録されていない場合には、このときの印刷要求を受け付けず、例えば、「識別情報が間違っています。印刷できません。」などのエラーメッセージを要求元の移動体通信端末ＴＭへ送信する。
【００４２】
また、ゲートウェイ装置ＧＷの動作モード、または、印刷装置の属性によっては、移動体通信端末ＴＭに対して、使用権を確認するためのユーザ認証を要求する場合がある。その場合、認証用データを保存した認証用データテーブル（図示略）を備え、移動体通信端末ＴＭに対して認証要求を送出し、移動体通信端末ＴＭより受信した認証データに基づき、認証用データテーブルを参照して、認証動作を行い、認証がＯＫになった場合にのみ、印刷要求を受け付ける。認証がＮＧになった場合には、印刷要求を受け付けないとともに、例えば、「ユーザ認証に失敗しました。印刷できません。」などのエラーメッセージを要求元の移動体通信端末ＴＭへ送信する。
【００４３】
このようにして、移動体通信端末ＴＭからの印刷要求を受け付けることができることが判明した場合、ゲートウェイ装置ＧＷは、情報提供サーバ装置ＩＳから受信した印刷情報を、ネットワークファクシミリ装置ＦＸが処理可能なＴＩＦＦ形式の画像データに変換し、さらに、そのＴＩＦＦ形式の画像データをＭＩＭＥ変換して、電子メールの本文情報を作成するとともに、上述のようにして取得したメールアドレスを適用したヘッダ情報を作成し、電子メールを作成して送信する。
【００４４】
したがって、印刷要求された内容を運ぶ電子メールは、メールサーバ装置ＭＳへ転送され、ネットワークファクシミリ装置ＦＸのメールアドレスに対応したメールボックスに保存される。
【００４５】
ネットワークファクシミリ装置ＦＸは、メールサーバ装置ＭＳに対して、適宜な周期で電子メールの受信を確認し、自端末宛の電子メールが保存されている場合には、その電子メールを取得し、その取得した電子メールの本文情報に含まれる印刷情報を記録出力する。
【００４６】
それにより、移動体通信端末ＴＭのユーザが印刷要求したコンテンツの印刷情報が、指定したネットワークファクシミリ装置ＦＸより記録出力される。
【００４７】
このようにして、本実施例では、移動体通信端末ＴＭのユーザは、情報提供サーバ装置ＩＳから取得したコンテンツデータを、所望の場所でプリントアウトさせることができるので、例えば、コンサート情報やチケット情報の覚えなどに非常に便利である。
【００４８】
また、プリントアウトさせる記録情報の内容は、移動体通信端末ＴＭで表示される表示内容よりもより詳細な内容にすることができるので、ユーザは、より詳細な内容を知ることができ、便利である。
【００４９】
ところで、ネットワークファクシミリ装置ＦＸの識別情報を知るためには、例えば、操作表示部１７を操作して、識別情報表示モードを選択し、例えば、図６に示すような表示内容を表示させることができる。
【００５０】
これにより、移動体通信端末ＴＭのユーザは、自分が使用希望するネットワークファクシミリ装置ＦＸの識別情報を、容易に、かつ、確実に取得することができ、上述した印刷要求時の識別情報の入力を適切に行うことができるようになる。
【００５１】
また、ネットワークファクシミリ装置ＦＸの識別情報を、あらかじめ移動体通信端末ＴＭに登録しておくこともできる。例えば、まず、ネットワークファクシミリ装置ＦＸの外部インタフェース回路２４と、移動体通信端末ＴＭの外部インタフェース回路６とを、信号ケーブルなどにより相互接続する。
【００５２】
次いで、移動体通信端末ＴＭから識別情報取得要求をネットワークファクシミリ装置ＦＸへ送出する。それにより、ネットワークファクシミリ装置ＦＸは、自端末に登録されている識別情報を移動体通信端末ＴＭへ転送し、移動体通信端末ＴＭは、受信した識別情報を保存する。
【００５３】
そして、移動体通信端末ＴＭは、ユーザが印刷要求した際にゲートウェイ装置ＧＷから識別情報を要求された場合、その保存している識別情報をゲートウェイ装置ＧＷへ転送する。
【００５４】
これにより、ユーザが印刷要求時に識別情報を入力する必要がなくなり、操作が容易になるとともに、識別情報の誤操作を防止でき、より適切に印刷要求を行うことができる。
【００５５】
また、移動体通信端末ＴＭに保存した識別情報は、１回印刷要求時に使用した後には消去し、あるいは、保存した時点から一定時間経過後に自動的に消去する。
【００５６】
それにより、正当ユーザ以外が移動体通信端末ＴＭを使用した場合の不当な印刷要求が排除される。
【００５７】
図７は、移動体通信端末ＴＭの概略処理の一例を示している。
【００５８】
移動体通信端末ＴＭは、ユーザより何らかの操作入力がされることを監視しており（判断１０１のＮＯループ）、ユーザより何らかの操作入力がされて、判断１０１の結果がＹＥＳになると、指定された操作内容が情報提供サーバ装置ＩＳから提供される情報を検索するＷｅｂ検索であるかどうかを調べる（判断１０２）。
【００５９】
判断１０２の結果がＹＥＳになるときには、移動体通信網ＭＮに接続し（処理１０３）、所定のＷｅｂ操作処理（例えば、ＷＷＷブラウザーソフトなど）を実行して（処理１０４）、適宜にファイルをゲートウェイ装置ＧＷへ要求し（処理１０５）、ゲートウェイ装置ＧＷより受信したファイルを適宜に表示する（処理１０６）。なお、上述した表示情報の印刷要求は、処理１０４〜１０６により実現される。
【００６０】
このようなＷｅｂ検索処理を行っているとき、終了が指令されるか（判断１０７）、あるいは、ゲートウェイ装置ＧＷから認証要求があるかを調べる（判断１０８）。ここで、終了が指令され、判断１０７の結果がＹＥＳになるときには、移動体通信網ＭＮとの接続を終了し、この動作を終了する。
【００６１】
また、ゲートウェイ装置ＧＷから認証要求がされて、判断１０８の結果がＹＥＳになるときには、自端末にあらかじめ記憶されている認証用データを要求元のゲートウェイ装置ＧＷへ送信する（処理１０９）。
【００６２】
そして、認証ＯＫの場合で、判断１１０の結果がＹＥＳになるときには、処理１０４へ戻って印刷処理を継続し、また、認証ＮＧの場合で、判断１１０の結果がＮＯになるときには、エラー表示を行って（処理１１１）、印刷処理を実行することなくこの動作を終了する。
【００６３】
そのときの操作内容がＷｅｂ検索ではなく、判断１０２の結果がＮＯになるときには、外部インターフェース回路６が外部装置（この場合は、ネットワークファクシミリ装置ＦＸ）に接続されているかどうかを調べる（判断１１２）。
【００６４】
判断１１２の結果がＹＥＳになるときには、ユーザにより端末識別情報取得要求操作がされるまで待つ（判断１１３のＮＯループ）。ユーザにより端末識別情報取得要求操作がされて判断１１３の結果がＹＥＳになるときには、ネットワークファクシミリ装置ＦＸより識別情報を取得して保存し（処理１１４）、このときの動作を終了する。
【００６５】
また、そのときの操作内容がＷｅｂ検索でも、外部接続でもなく、判断１１２の結果がＮＯになるときには、そのときの操作内容に対応した処理（例えば、通常の通話処理など）を実行し（処理１１５）、このときの動作を終了する。
【００６６】
図８は、移動体通信端末ＴＭがネットワークファクシミリ装置ＦＸより受信して保存した識別情報を消去する際の処理の一例を示している。
【００６７】
出力情報サービス（上述した印刷処理）で識別情報を使用するか（判断２０１の結果がＹＥＳ）、あるいは、識別情報を保存してから一定時間を経過すると（判断２０２の結果がＹＥＳ）、そのときに記憶している識別情報を消去する（処理２０３）。
【００６８】
図９は、移動体通信端末ＴＭからＷｅｂアクセスがされたときのゲートウェイ装置ＧＷの処理の一例を示している。
【００６９】
いずれかの移動体通信端末ＴＭよりＷｅｂアクセスがされると（判断３０１の結果がＹＥＳ）、その内容が印刷指示であるかどうかを調べる（判断３０２）。印刷指示がされた場合で、判断３０２の結果がＹＥＳになるときには、上述したような出力先指定用ファイルを移動体通信端末ＴＭへ送信し（処理３０３）、その移動体通信端末ＴＭより識別情報を受信する（処理３０４）。
【００７０】
ここで、その受信した識別情報が、上述したメールアドレステーブルに登録されているかどうかを調べ（判断３０５）、登録されていない場合で、判断３０５の結果がＮＯになるときには、移動体通信端末ＴＭに対して、上述したようなエラーメッセージを送出し（処理３０６）、この動作を終了する。
【００７１】
また、その受信した識別情報が、上述したメールアドレステーブルに登録されている場合で、判断３０５の結果がＹＥＳになるときには、当該印刷要求について、認証が必要であるかどうかを判断する（判断３０７）。この判断は、例えば、当該識別情報について認証要求する旨の登録の有無により、あるいは、ゲートウェイ装置ＧＷの動作モードの設定内容により、結果が定まる。
【００７２】
判断３０７の結果がＹＥＳになるときには、ゲートウェイ装置ＧＷは、移動体通信端末ＴＭに対して、認証要求を送信し（処理３０８）、移動体通信端末ＴＭより認証用データを受信すると（処理３０９）、認証データテーブルを参照して、所定の認証動作を行い、認証ＯＫであるかどうかを調べる（判断３１０）。認証ＮＧになる場合で、判断３１０の結果がＮＯになるときには、上述したようなエラーメッセージを移動体通信端末ＴＭへ送信し、この動作を終了する。
【００７３】
また、認証ＯＫの場合で、判断３１０の結果がＹＥＳになるとき、あるいは、そのときに認証が不要な場合で、判断３０７の結果がＮＯになるときには、そのときに移動体通信端末ＴＭに表示しているコンテンツに対応した印刷情報を、対応する情報提供サーバ装置ＩＳより取得し（処理３１２，３１３）、情報提供サーバ装置ＩＳから受信した印刷情報を、ネットワークファクシミリ装置ＦＸが処理可能なＴＩＦＦ形式の画像データに変換し（処理３１４）、さらに、そのＴＩＦＦ形式の画像データをＭＩＭＥ変換して（処理３１５）、電子メールの本文情報を作成するとともに、上述のようにして取得したメールアドレスを適用したヘッダ情報を作成し（処理３１６）、電子メールを作成して送信する（処理３１７）。
【００７４】
また、印刷指示以外の要求を受信した場合で、判断３０２の結果がＮＯになるときには、そのときに要求されたコンテンツの移動体通信端末用表示情報を、対応する情報提供サーバ装置ＩＳより取得し（処理３１８，３１９）、その取得したファイルを移動体通信端末ＴＭへ送信して（処理３２０）、判断３０１へ戻る。
【００７５】
図１０は、ネットワークファクシミリ装置ＦＸの電子メール受信時の処理の一例を示している。
【００７６】
まず、受信タイミング（例えば、５，１０，１５，２０，３０分周期）まで待ち（判断４０１のＮＯループ）、受信タイミングになって判断４０１の結果がＹＥＳになると、メールサーバ装置ＭＳへ接続し（処理４０２）、自端末宛の電子メールが受信されているかどうかを問い合わせる（処理４０３）。自端末宛の電子メールが受信されていない場合で、判断４０４の結果がＮＯになるときには、判断４０１へ戻り、次の受信タイミングまで待機する。
【００７７】
また、自端末宛の電子メールが受信されている場合で、判断４０４の結果がＹＥＳになるときには、その受信されている電子メールを全て取得し（処理４０５）、メールサーバ装置ＭＳとの接続を終了する（処理４０６）。
【００７８】
次いで、受信した電子メールの１つを選択し（処理４０７）、その本文情報の内容を取り出して、ＭＩＭＥ逆変換を行って元のＴＩＦＦ形式の画像データを作成し、その画像データを記録可能なデータに変換して、その内容をプロッタ１６より記録出力する（処理４０８）。
【００７９】
１つの電子メールについて処理を終了すると、全ての電子メールについての処理が終了したかどうかを調べ（判断４０９）、判断４０９の結果がＮＯになるときには、処理４０７に戻り、残りの電子メールについて、記録動作を行う。また、判断４０９の結果がＹＥＳになるときには、判断４０１へ戻り、次の受信タイミングまで待機する。
【００８０】
ところで、上述した実施例では、Ｗｅｂ検索などで表示させた情報の記録動作について説明したが、同様の構成および方法により、移動体通信端末ＴＭに記憶されている情報を、ネットワークファクシミリ装置ＦＸより記録出力させることができる。例えば、移動体通信端末ＴＭに登録されている電話帳情報などを記録出力させることができれば、ユーザにとって非常に便利である。
【００８１】
また、ネットワークＰＮの内側に限って、ユーザに対し、移動体通信端末ＴＭからの印刷要求を受け付けるようにすることも可能である。その場合、例えば、ルータ装置ＲＴに代えて、外部装置からネットワークＰＮへのアクセスの認証などを制御するアクセスサーバ装置（図示略）を設け、このアクセスサーバ装置に、上述したゲートウェイ装置と同様な機能を備えることで、実現することができる。
【００８２】
また、上述した実施例では、ゲートウェイ装置ＧＷに、電子メールの送信機能も備えるようにしているが、電子メールの送信機能を専用に行う装置を別途も受けるようにしてもよい（機能分割）。
【００８３】
なお、上述した実施例では、ネットワークファクシミリ装置ＦＸが公衆網としてアナログ公衆網ＰＳＴＮを利用するようにしているが、デジタル公衆網ＩＳＤＮを利用する場合についても、本発明を同様にして適用することができる。
【００８４】
また、上述した実施例では、ネットワークファクシミリ装置ＦＸは、ローカルエリアネットワークＬＡＮに接続され、ローカルエリアネットワークＬＡＮを介してインターネットＩＮＥＴに接続されているが、ダイアルアップ接続機能によりインターネットＩＮＥＴに接続する場合、あるいは、直接インターネットＩＮＥＴに（ＩＰ）接続される場合についても、本発明を同様にして適用することができる。
【００８５】
【発明の効果】
以上説明したように、本発明によれば、移動体通信端末のユーザは、情報提供サーバ装置から取得したコンテンツデータを、所望の場所でプリントアウトさせることができるので、例えば、コンサート情報やチケット情報の覚えなどに非常に便利であるという効果を得る。
【００８６】
また、プリントアウトさせる記録情報の内容は、移動体通信端末で表示される表示内容よりもより詳細な内容にすることができるので、ユーザは、より詳細な内容を知ることができ、便利であるという効果も得る。
【００８７】
また、出力装置の識別情報を表示出力させることができるので、移動体通信端末のユーザは、自分が使用希望するネットワークファクシミリ装置の識別情報を、容易に、かつ、確実に取得することができ、印刷要求時の識別情報の入力を適切に行うことができるようになるという効果も得る。
【００８８】
また、出力装置の識別情報を、あらかじめ移動体通信端末に登録しておくこともできるので、ユーザが印刷要求時に識別情報を入力する必要がなくなり、操作が容易になるとともに、識別情報の誤操作を防止でき、より適切に印刷要求を行うことができるという効果も得る。
【００８９】
また、移動体通信端末に保存した識別情報は、１回印刷要求時に使用した後には消去し、あるいは、保存した時点から一定時間経過後に自動的に消去するので、正当ユーザ以外が移動体通信端末ＴＭを使用した場合の不当な印刷要求が排除されるという効果も得る。
【図面の簡単な説明】
【図１】図１は、本発明の一実施例にかかる通信ネットワークの一例を示したブロック図。
【図２】移動体通信端末ＴＭ（ＴＭ１〜ＴＭｎ）の構成の一例を示したブロック図。
【図３】ネットワークファクシミリ装置ＦＸの構成の一例を示したブロック図。
【図４】プリントアウトの出力先の印刷装置の識別情報の入力要求画面の一例を示した概略図。
【図５】メールアドレステーブルの一例を示した概略図。
【図６】識別情報表示モードの表示例を示した概略図。
【図７】移動体通信端末ＴＭの概略処理の一例を示したフローチャート。
【図８】移動体通信端末ＴＭがネットワークファクシミリ装置ＦＸより受信して保存した識別情報を消去する際の処理の一例を示したフローチャート。
【図９】移動体通信端末ＴＭからＷｅｂアクセスがされたときのゲートウェイ装置ＧＷの処理の一例を示したフローチャート。
【図１０】ネットワークファクシミリ装置ＦＸの電子メール受信時の処理の一例を示したフローチャート。
【符号の説明】
ＴＭ，ＴＭ１〜ＴＭｎ  移動体通信端末
ＭＮ  移動体通信網
ＢＳ  移動体通信網基地局
ＧＷ  ゲートウェイ装置
ＩＳ，ＩＳ１〜ＩＳｎ  情報提供サーバ装置
ＭＳ  メールサーバ装置
ＦＸ  ネットワークファクシミリ装置
【図１】
0003933825.tif 000002
【図２】
0003933825.tif 000003
【図３】
0003933825.tif 000004
【図４】
0003933825.tif 000005
【図５】
0003933825.tif 000006
【図６】
0003933825.tif 000007
【図７】
0003933825.tif 000008
【図８】
0003933825.tif 000009
【図９】
0003933825.tif 000010
【図１０】
0003933825.tif 000011